(57)【要約】      （修正有）【課題】物質、特に化粧品またはケア製品を、肌、髪に、または指の爪或いは足の爪に塗るためのパッケージング及び／または塗布装置の従来技術に関する問題を全てまたは部分的に解決すること。【解決手段】  本発明は、化粧品またはケア製品をパッケージング及び／または塗布する装置に関するものであり。装置は液体、または液体に溶解した状態の成分を吸収するか、或いは液体に溶解することができる粒子を収容する。【選択図】図１
2006271983.tif 000002
【特許請求の範囲】
【請求項１】
製品を塗布するため複数の繊維を備えた装置において、
繊維の少なくとも一つが、粒子の重量と少なくとも等しい重量の液体量と、液体に溶解した状態の成分との少なくとも一つを吸収すること、及び液体に溶けることの、少なくとも一つが可能な形態の粒子を備えることを特徴とする装置。
【請求項２】
前記繊維の少なくとも一つが、実質的に一定の断面を有することを特徴とする請求項１記載の装置。
【請求項３】
前記繊維の少なくとも一つが、熱可塑性材料とエラストマー材料の少なくとも一つを押し出し成形及び同時押し出し成形することによって、成形されることを特徴とする請求項１または２に記載の装置。
【請求項４】
前記粒子が、繊維の少なくとも一部分の表面に、少なくとも与えられることを特徴とする請求項１〜３のいずれか一項に記載の装置。
【請求項５】
繊維の少なくとも一部分に関して、前記粒子が、繊維の表面にのみ与えられることを特徴とする請求項１〜４のいずれか一項に記載の装置。
【請求項６】
前記繊維の少なくとも一つに関して、粒子がプラスチック材料中に分散されることを特徴とする請求項１〜５のいずれか一項に記載の装置。
【請求項７】
前記粒子（３０）が、塗られる物質に接触してボリュームが増加する適切なものであることを特徴とする請求項１〜６のいずれか一項に記載の装置。
【請求項８】
前記繊維の少なくとも一つに関して、粒子が下記の材料：すなわち水または脂質の存在で膨張するポリマー；水中で高い膨張効果を有する超吸収性網状ポリアクレラート；ポリビニルアルコール；カルボキシビニルポリマー；セルロースの半合成誘導体；澱粉、バイオガム；バイオサッカライド（biosaccharides）；セルログルカン（scelro-glucanes）；カゼイン；植物コロイド（phytocolloids）、アルギン酸塩、ゼラチン、ゼラン（gelanes）、キサンタン；ラポナイト；シリカ、特にコロイドシリカ；及びそれらの混合物；の中から選択された少なくともひとつの材料で作られることを特徴とする請求項１〜７のいずれか一項に記載の装置。
【請求項９】
前記繊維の少なくとも一つに関して、粒子（３０）は膨張前、粒寸法が0.1μm〜300μmの範囲であることを特徴とする請求項７または８に記載の装置。
【請求項１０】
前記繊維の少なくとも一つに関して、前記粒子（３０）の重量に対する濃度は膨張前、繊維の総重量に関して0％〜6％の範囲にあることを特徴とする請求項８〜９のいずれか一項に記載の装置。
【請求項１１】
前記繊維の少なくとも一つの材料（１１）が、塗られる物質に接触すると膨張する適切なものであることを特徴とする請求項１〜１０のいずれか一項に記載の装置。
【請求項１２】
前記繊維の少なくとも一つが、水溶性または油溶性である粒子を含有することを特徴とする請求項１〜１１のいずれか一項に記載の装置。
【請求項１３】
前記繊維の少なくとも一つが、繊維の表面にゲルを形成するのに適した粒子（５０）を含むことを特徴とする請求項１〜１２のいずれか一項に記載の装置。
【請求項１４】
前記繊維の少なくとも一つが、ポリアミド；ポリエチレンテレフタレート（PET）；アセテート；ポリエチレン（PE）；ポリプロピレン（PP）；ポリ塩化ビニル（PVC）；アミドブロックポリエステル；可塑化Rilsan（登録商標）；エラストマー、特にポリエステルエラストマー、PEエラストマー、シリコンエラストマー、ニトリルエラストマー；及びそれら材料の混合物；の中から選択されるプラスチック材料（１１）から作られることを特徴とする請求項１〜１３のいずれか一項に記載の装置。
【請求項１５】
複数の繊維から成るフロック加工部を備えることを特徴とする請求項１〜１４のいずれか一項に記載の装置。
【請求項１６】
前記繊維の少なくとも一つの直径が、0.5μm〜500μmの範囲であることを特徴とする請求項１〜１５のいずれか一項に記載の装置。
【請求項１７】
前記繊維の少なくとも一つの長さが、0.5mm〜50mmの範囲であることを特徴とする請求項１〜１６のいずれか一項に記載の装置。
【請求項１８】
前記繊維の少なくとも一つが、磁化または磁化可能な粒子の重量に関して0.2％〜30％含有することを特徴とする請求項１〜１７のいずれか一項に記載の装置。
【請求項１９】
少なくとも一つの繊維が実質的に、テーパー状でないことを特徴とする請求項１に記載の装置。
【請求項２０】
粒子は、クレー、二酸化珪素及び綿が不足していることを特徴とする請求項１に記載の装置。
【請求項２１】
請求項１〜２０のいずれか一項に定義されたパッケージング及び／または塗布装置に使用される繊維を製造する方法において、
方法が、
少なくとも液体の重量分または、液体に溶解した状態の成分を吸収することができるか、或いは液体に溶けることができる粒子（３０；４０；５０）を含有した、プラスチック材料繊維を、押し出し成型または同時押し出し成形するステップと、
繊維を前記液体に接触させるステップと、
を含むことを特徴とする方法。
【請求項２２】
前記粒子（３０）が、前記液体と接触して膨張すること、粒子の粒寸法が、前記粒子が膨張した後、予定の程度の粗さを繊維にもたらすように選択されることを特徴とする請求項１〜２１のいずれか一項に記載の方法。
【請求項２３】
繊維を前記液体と接触させるので、前記粒子（３０；５０）が、液体に溶解した状態の保存剤することができることを特徴とする請求項１〜２２のいずれか一項に記載の方法。
【請求項２４】
前記液体が、押出機を出た繊維を冷却するために作用することを特徴とする請求項３５〜３７のいずれか一項に記載の方法。
【請求項２５】
前記液体が、化粧品またはケア製品であることを特徴とする請求項３５〜３７のいずれか一項に記載の方法。
【発明の詳細な説明】
【技術分野】
【０００１】
本発明は、物質、特に化粧品またはケア製品を、肌、毛髪に、または指の爪或いは足の爪に塗ることに関連するものである。化粧品に関して、その一例が1993年6月14日の評議の指令書93/35/CEEにおいて定義されたような製品であることは理解されよう。
【０００２】
本発明は、特に物質を塗るため、または物質の充填剤として使用される、繊維に関連する。
【背景技術】
【０００３】
例えば塗布部材を、連続してかなり長時間使用できるようにするため、相対的に大量の物質を吸収することが可能な、特にブラシを構成するまたはフロック加工するための、複数の繊維が必要になる。
【発明の開示】
【発明が解決しようとする課題】
【０００４】
例えばまつげの表面に物質を滑らかに伸ばすか、またはまつげを曲げるため、まつげを引っ掛けて保持することが可能な、マスカラブラシ用の剛毛が必要である。
【０００５】
また、化粧品またはケア製品を保持することを改善する必要もある。
【０００６】
また、繊維によって化粧品またはケア製品のため塗布に関する新しい状態を作る、適切には新しいメイクアップ効果を創造する必要もある。
【０００７】
最後に、特に塗布部材をその容器に素早く再挿入しない時に、化粧品またはケア製品が、塗布部材において乾き切る割合を、遅くする必要があり、また耐漏キャップの下で湿った状態に保持する必要がある。
【０００８】
本発明の目的は、特にそれらの要求の全てまたは一部を満たすことである。
【課題を解決するための手段】
【０００９】
本発明はその要求を、化粧品またはケア製品用のパッケージング及び／または塗布装置によって達成し、その装置は液体または、液体に溶解した状態の成分を吸収することが可能な、或いは液体に溶けることが可能な、粒子を含有する繊維を具備することを特徴とする。
【００１０】
本発明の意味について、用語“繊維”は、例えばマスカラブラシの剛毛、フロック加工によるコーティングの剛毛、特に爪にマニキュアを塗るため、またはパウダーをつけるためのペイントブラシの剛毛、を構成するため、何らかの一般的な長い本体を示すために使用され、実際に繊維はまつげに伸ばすため、まつげに塗布する物質を含有する充填剤を構成するためのものである。繊維は相対的に撓むことができ、または実際に弾性変形可能であり得、また繊維は人工材料から作られ得る。
【００１１】
上記の液体は、化粧品として許容可能な液体であり得、人間の体に塗ることができる、油性または水性の水、アルコール性或いは油性溶液でもよいが、この記載に制限するものではない。
【００１２】
この液体は、付ける製品に含まれてもよい。
【００１３】
従って本発明の目的は、製品を塗布する装置であり、その装置は、
製品を塗る多数の繊維を備えており、
繊維の少なくとも一つが、粒子の重量と少なくとも等しい重量の液体量、及び液体に溶解した状態の成分を吸収すること；及び液体に溶解すること；の少なくとも一つが可能な形態をした粒子を備えることを特徴とする。その粒子は、綿が少ない。
【００１４】
少なくとも一つの前記繊維は、実質的に一定の断面を有することができ、例えば一つ以上の熱可塑性材料及び／またはエラストマー材料の押し出し成形または同時押し出し成形によって作られる。繊維は、二つの人工材料の同時押し出し成形によって作られ得、材料の一つが例えば上記粒子で充填される。粒子は、繊維の少なくとも一部分の表面にもたらされ、表面にだけ、任意にまたはプラスチック材料中に分散される。
【００１５】
特別な実施形態において、粒子は塗られる物質と接触して体積を増やすのに適切なもので、例えばそれらは塗るための物質を含んだ溶液と接触して膨張することができる。前記溶液は例えば水である。そのような体積の増加は、繊維の表面に表面不規則性を生じさせるために作用し、その不規則性が物質を保持するゾーンを形成し得、それにより繊維が塗ることを目的に使用され、化粧品またはケア製品の供給分を収容した容器に浸される時に、有利である。
【００１６】
液体を吸収可能で、液体と接触して膨張でき、または液体と接触して溶解する粒子の使用は、塗られるケア製品または化粧品のために繊維に特別な係留ゾーンを、特に物質に含有される親和性または脂肪親和性の成分に関する粒子の親和力によって、生じるように作用し得る。従って、物質は繊維に充分付着し得、塗布部材がより大量の物質を運ぶことができる。
【００１７】
液体を吸収し、任意に液体に接触して膨張するのに適した粒子の存在は、繊維の表面上に存在する化粧品またはケア製品が乾き切るのを防ぐのにも有利である。なぜなら化粧品またはケア製品を含有した溶液、例えば水が蒸発するからで、前記粒子を吸収したそれらの粒子は、放出されて繊維の周囲に存在する物質に戻される。また塗布部材の表面に存在する物質が乾き切るのを防ぐことも、有利である。なぜならそれが塗布部材をかなり長時間使用できるようにするだけでなく、使用していない間、例えば保護キャップによって単に保護されていても、物質に浸されていない時に、乾き切るのを防ぐ。
【００１８】
粒子は、乾いた時でも例えば結晶状態であり得、塗る製品に含有される液体と接触すると、柔らかくなることができる。
【００１９】
これによって例えば液体を吸収した後、繊維をより撓ませることが可能になり得る。粒子の性質及び用いる量を選択することによって、繊維を任意に撓ませることができる。
【００２０】
粒子は、少なくともその重量の液体例えば水を吸収し得る。
【００２１】
塗る物質と接触する量、特に水と接触する量を増やすため、適切な粒子を作るのに使用され得る材料として、以下のようなものがあげられる。すなわち水または脂質の存在で膨張するポリマー；水中で高い膨張効果を有する超吸収性網状ポリアクレラート；ポリビニルアルコール；カルボキシビニルポリマー；セルロースの半合成誘導体；澱粉、バイオガム；バイオサッカライド（biosaccharides）；セルログルカン（scelro-glucanes）；カゼイン；植物コロイド（phytocolloids）、アルギン酸塩、ゼラチン、ゼラン（gelanes）、キサンタン；ラポナイト；シリカ、特にコロイドシリカ；及びそれらの混合物であるが、上記の記載に制限されるものではない。
【００２２】
重量の少なくとも二倍、十倍、五十倍または百倍の液体吸収する、例えばポリアクリラートのような、超吸収材料が使用され得る。
【００２３】
膨張の前に、粒子は0.1マイクロメータ（μm）〜300μmの範囲、例えば5μm〜200μmの範囲、または10μm〜150μmの範囲の粒寸法を有し得る。
【００２４】
それら粒子の粒寸法は、膨張後に任意の粗さの度合いを関数として、選択されるべきである。
【００２５】
前記粒子の重量による濃度は、0〜20％の範囲であり、好ましくは膨張の前に繊維の総重量に関連して、6％かそれ以下で、すなわち乾燥重量である。
【００２６】
繊維を作るため、使用される材料は、塗られる物質と接触して膨張することができるように、例えば容積の15％が相対的に増加するように、選択され得る。
【００２７】
少なくとも一つの繊維を作るプラスチック材料は、以下の記載すなわち：ポリアミド；ポリエチレンテレフタレート（PET）；アセテート；ポリエチレン（PE）；ポリプロピレン（PP）；ポリ塩化ビニル（PVC）；アミドブロックポリエステル；可塑化Rilsan（登録商標）；エラストマー、特にポリエステルエラストマー、PEエラストマー、シリコンエラストマー、ニトリルエラストマー；及びそれら材料の混合物；の中から選択され得る。
【００２８】
特別な実施形態において、少なくとも一つの繊維は、液体、例えば水に接触して溶解する適切な粒子を含んでいる。粒子は水溶性（hydrosoluble）または油溶性（liposoluble）であり得る。そのような粒子が溶解すると、繊維上で表面を粗くさせ、適切には繊維が多孔性にもなる。それらの粒子の最初の粒寸法は、0.1μm〜300μmの範囲にある。
【００２９】
少なくとも一つの繊維は、膨張してまたは膨張しないで、水のような液体を吸収するのに適した粒子を含有する。そのような粒子の使用は、殺菌の性質、特に殺菌特性をもたらす目的のため、一つ以上の成分を繊維に注入できることは有利である。特に繊維は、液体、特に水性溶液で溶解した状態の保存物を吸収するのに適した、粒子を収容し得る。
【００３０】
液体で溶解状態の成分または液体を吸収するのに適切な粒子の濃度は、重量に関するパーセンテージでは、繊維を前記液体に接触させる前は、繊維の総重量に関して、0〜20％の範囲、または0〜6％の範囲である。
【００３１】
繊維は、非常に広い様々な断面を有し得、例えばその断面の形状は、円対称または円形、立体または中空正方形、任意に溝を有するディスク、立体または中空三角形、立体または中空星形、Ｕ形、Ｖ形、Ｉ形、Ｔ形、Ｚ形、−形、＋形、三つの支部を有する腎臓形、中空形、或いはそれらの形状の組合せから選択された形状であり得る。繊維を捻ってもよい。
【００３２】
本発明による繊維を使用したパッケージング及び塗布装置は、ワイパー部材を任意に具備し得る。
【００３３】
本発明の繊維は、上記で説明したように、物質を取り上げるのに適切な塗布部材に属し得る。
【００３４】
塗布部材はマスカラブラシであり得、ブラシの剛毛の少なくとも一つは、本発明による繊維によって構成され得る。
【００３５】
上記で説明したように、液体と接触して膨張し、且つ／または液体を吸収するか、または液体に溶解できる粒子の存在が、ある程度の粗さまたは多孔性を、ブラシの剛毛にもたらすことができ、それによってマスカラの接着力を促進し、それが乾き切るのを防ぐ。粒子は、特にフィルムを発生させることに適してると、まつげの表面にもフィルムを蓄積させ、それによって、まつげの固さ或いは外観を改善し、塗布部材の滑りを促進させる。
【００３６】
変形例において、塗布部材はペイントブラシタイプの塗布部材によって、選択的に構成され得、ブラシの剛毛の少なくとも一つは、前記繊維の一つによって構成され得る。
【００３７】
パッケージング及び／または塗布装置は、フロック加工によるコーティングを有し得て、少なくとも一つの剛毛が、前記繊維の一つによって構成されている。そのようなフロック加工によるコーティングは、以下のものから選択された要素の一つの少なくとも一部分を覆い得る。その要素は、櫛の歯；ブラシの剛毛；ワイパー；発泡体；スポンジ；任意に孔の開いたフィルム；固いまたは可撓性の端ピース、特にエラストマー端部ピース；編織物；及び非編織物である。
【００３８】
繊維の直径は、9.5μm〜500μm、例えばその使用に依存して50μm〜500μmの範囲でもあり、繊維の長さは例えば0.5ミリメートル（mm）〜50mmの範囲であり得る。
【００３９】
繊維は選択的に、化粧品またはケア製品、特にマスカラの充填剤を構成し得、その場合、繊維がまつげを伸ばす一助になる。繊維において、液体に接触して膨張する及び／または液体を吸収できる、粒子と共働することによって、例えばまつげにおける繊維の保持力を改善する。
【００４０】
また磁化または磁化可能な粒子を、繊維に含むことは有利であろう。
【００４１】
磁化または磁化可能な粒子は、液体に溶解するか、または液体と接触して膨張するか、或いは液体を吸収できる粒子を既に含んだ繊維に入れられ得るか、または変形例で、パッケージング及び／または塗布装置は、磁性粒子だけを含む幾つかの繊維と、液体に溶解するか、または液体と接触して膨張するか、或いは液体を吸収できる粒子を含む別の繊維を有し得る。磁性粒子は、樹脂でコーティングされた、例えばシアノアクリレートであるか、または磁性粒子は磁性材料を、非磁性媒体、例えばガラスまたは樹木繊維のミクロビードに蓄積することによって作られる。
【００４２】
磁気特性を有する繊維は、物質の取り出しを容易にし得、処理表面に塗ることを改善し得、または適切に新たなメイクアップ効果を創造し得る。
【００４３】
また磁気特性は、微小循環を促進することによって、活性剤の貫通を促進し得る。
【００４４】
繊維は固定または可動であり得る。
【００４５】
繊維は、クレーが不足し且つ二酸化珪素が欠乏した、粒子を備え得る。
【００４６】
少なくとも一つの繊維は、実質的にテーパー状ではない。
【００４７】
また本発明は、上記のようなパッケージング及び／または塗布装置に使用するため適切な繊維を製造する方法も提供し、それは以下の段階、すなわち、
液体または、液体に溶解した状態の成分を吸収することができるか、或いは液体に溶けることができる粒子を含んだ、プラスチック材料繊維を押し出し成形、または同時押し出し成形する段階と、
繊維を前記液体と接触させる段階、
を含む。
【００４８】
特に方法の実行例において、前記液体と接触して膨張するため適切な粒子が使用され、その粒寸法は、前記粒子が膨張した後、繊維に予定の程度の粗さをもたらすように選択される。
【００４９】
また特別な実行例において、粒子が液体に溶解した状態の保存物を吸収することができる時、繊維は、繊維を保存物で充填させるため、前記液体と接触する。問題となる液体は、押出機を出た繊維を冷却するため使用され得る。
【００５０】
また本発明は、ブラシの剛毛として、または化粧品またはケア製品用のパッケージング及び／または塗布装置におけるフロック加工部への使用に適した繊維を提供し、その繊維は人工材料に加えて、液体または前記液体に溶解した状態の成分を吸収できるか、或いは液体に溶けることができる粒子を含むことを特徴とする。
【００５１】
また本発明は、上記の方法によって得られる多孔性または粗い繊維、特に製品を塗る装置用の繊維も提供し、繊維は；
人工材料と；人工材料に関連する粒子から成り、粒子が液体と、液体に溶解した状態の成分の少なくとも一つを吸収すること；液体に溶けることの、少なくとも一つができる形態をし、
粒子が、少なくともその重量と等しい重量の液体量を吸収することができる。
【発明を実施するための最良の形態】
【００５２】
本発明による別の特徴及び利点は、本発明を制限するものではない以下の詳細な記載を読み、（記載の全体部分を形成する）添付図面を参照することで、明らかになる。
【実施例】
【００５３】
全ての図面において、種々の要素の相対的割合は、図面を明確にするため、曲解させることが可能である。
【００５４】
図１〜図３１は、例えば図３４〜図４９のいずれかに示されているパッケージング及び／または塗布装置に使用するのに適した、本発明による繊維を示している。
【００５５】
記載の例において、繊維は液体または前記液体に溶解した状態の成分を吸収することが可能な、或いは任意に磁気特性を有する粒子の充填剤と共に、液体に溶けることが可能な、粒子の充填剤を含有した熱可塑性材料１１を押し出し成形することによって、作られる。
【００５６】
図１は、水で膨張する成分の粒子３０の充填剤を含有する繊維を示しているが、ファイバーを液体、例えば水に接触させる前であり、図２は同じ繊維を液体に接触させた後の状態を示している。
【００５７】
示された例において、繊維は固体であり、円形断面をしているが、以下で説明するように別の断面も可能である。
【００５８】
一例として、繊維は図３２に示されたような設備によって作ることができ、その設備は、押出機２０と冷却液の液槽を備え、そこに繊維が押出機から出て浸される。
【００５９】
粒子３０の膨張は、繊維の表面上にレリーフ効果（relief effect）を生じさせるために作用し、そのようなレリーフを使用することにより、特に繊維に大量の物質を吸収させ、または例えばマスカラブラシに剛毛として使用される場合、まつげを良好に捕えるために作用する。
【００６０】
粒子３０は、繊維内に一つ以上の物質、例えば美容的または皮膚科学的な活性剤である、保存物または薬物を吸収するために利用することができる。
【００６１】
特に押出機を出た時に繊維を冷却するために使用される液槽２１に、液槽の液体に溶解可能な一つ以上の成分、例えば保存物を入れることが可能で、前記成分は、繊維を液槽２１の中に沈めると、粒子３０によって吸収される。この方法で、液槽２１を出た繊維が、繊維に含有される粒子３０によって吸い込まれた製品で、満たされる。これらの成分は、例えばその保存性を改善するため、化粧品またはケア製品と接触すると、徐々に解放され得る。繊維は液槽２１を出る際に脱水され得る。
【００６２】
また、任意に粒子３０を加えると、繊維は液体、例えば押出機を出る際に繊維を冷却するため使用される、水の液槽２１に溶解可能な粒子４０を含有し得る。それらの粒子４０は例えば使用される液体に溶解可能な砂糖、塩によって、液体が水の時はゼラチンで構成され得る。図３は溶解する前、すなわち押出機２０を出た直後のそのような粒子４０を含有した繊維を示しており、図４は液槽２１を通過した後の同じ繊維を示している。繊維の表面に存在する、溶解可能な粒子２０が、液槽２１の液体によって溶解され、それによって繊維の表面に粗さが生じ、また繊維を多孔性にし得ることが明らかである。その様な粗さまたは多孔性は、例えば繊維が吸収できる物質の量を増やすために利用することができる。得られる粗さまたは多孔性の量は、粒子４０の最初の粒寸法に依存する。繊維の表面上に存在する化粧品またはケア製品と接触し、連続して溶解するので、繊維が液槽２１を出た時、いくつかの粒子４０を溶解する必要があるだけである。粒子４０は美容または皮膚科学的な効果を有する一つ以上の物質によって、構成することができる。その様な状況下で、化粧またはケア製品と接触する際の粒子４０の溶解は、処理される表面に物質を放すことによって、行うことができる。適切には表面に存在する粒子４０を放すか、それを促進させるため、繊維が衝撃を受ける。
【００６３】
粒子４０は選択的に、液槽２１の水に溶解しないが、繊維と接触する化粧品またはケア製品にだけ、徐々に溶解できる材料からも作られ得る。
【００６４】
ゲル５１の層を繊維の表面上に形成するため、図５に示されているように、液体と接触してゲル化するのに適切な繊維に、粒子５０を挿入することが可能である。ゲル５１のその様な層は、例えばそれと接触する化粧品またはケア製品のために、繊維の親和力を変化させることができる。またゲルは処理される表面、例えばまつげに依存するようになって、その外観または固さを改善するか、またはまつげと接触する塗布部材の滑りを改善する。
【００６５】
液体、特に水を吸収することができる粒子を使用することは、成分に含有される溶液の蒸発を補償するため、粒子によって吸収される液体が、徐々に解放される時、繊維の表面上に化粧品またはケア成分の渇きを防ぐ利点をもたらし得る。
【００６６】
粒子３０、４０または５０を使用することは、特別な係留ゾーンを物質用の繊維の表面に作るためにも作用し得、それは、生物に含有された脂肪親和性（lipophilic）または親水性（hydrophilic）成分に使用される粒子に親和力があるからである。物質は、水／油乳濁液であり得、繊維は水だけをまたは油だけを吸収し得、一般的に繊維は選択した方法で物質の成分の一つを吸収する。
【００６７】
適切には、粒子３０、４０、または５０は、図６に示されているように、繊維の表面上にのみ、もたらされ得る。
【００６８】
一例として、粒子３０、４０または５０の最初の粒寸法は、1μm〜300μmの範囲で、5μm〜500μmの範囲、或いは10μm〜150μmとする。粒子３０、４０または５０の濃度は重量の0〜20％、また乾いた時には重量の0〜6％の範囲であり得る。
【００６９】
更に繊維は、プラスチック材料１１内に実質的に一定の方法で、分散された磁性粒子１２を含み得る。
【００７０】
磁性粒子１２は、選択的に粒子の表面にのみ、適切な方法、例えば図面１２に示されたようにコーティングによって、蓄積されるか、または粒子は図１３に示されているように、繊維の内部に、閉じ込めてもよい。また図１４に示しているように、磁性粒子を中心コア１４に取り替えることも可能である。
【００７１】
磁性粒子の重量に対する濃度は、例えば0.2％〜30％の範囲にであり得る。
【００７２】
使用される磁性材料は有利には、以下のリストから選択される。それは、ソフト磁化材料；ハード磁化材料；フェライト、特に亜鉛、ニッケルまたはマンガンを基にしたフェライト；希土酸化物；珪素合金（silicon alloy）；モリブデンの充填剤を支えることができるコバルト鉄（cobalt iron）；それら材料の混合物である。磁化材料１２は、磁性物質を破片にすること、または非磁性体Ｃ、例えば図５７にようなマイクロビードまたは木繊維に、磁性物質Ｍを蓄積することによって、作られ得る。磁性粒子は、磁性コアＭと、非磁性、例えば樹脂の層、特に図５６に示されているように、シアノアクリレートである外層Ｒとを備えている。
【００７３】
図７及び図８は、図１及び図２とは異なり、中に存在する磁性粒子１２有する繊維を示している。
【００７４】
図９及び図１０は、図３及び図４とは異なり、磁性粒子１２が存在する繊維を示している。
【００７５】
図１１は、図５の繊維を示しており、その全体中に分散した磁性粒子１２を有している。
【００７６】
繊維は、図１５〜図３１を参照して以下に記載するように、固形円とは別の非常に広い種々の断面をし得る。
【００７７】
繊維は、図１５のように平坦な、図１６のように十字形、または図１７のように三つに分岐した星形の断面に成るように押し出し形成され得る。繊維は、図１８に示したように中空断面か、図１９に示したように毛管溝を備えた固体であり得る。また図２０に示されたＵ形断面、図２１に示されたＩ形断面、図２２に示されたＴ形断面、図２３に示されたＶ形断面、図２４に示されたＺ形断面、または上記で定義した形状の組合せ、例えば図１６及び図１７に対応した形状の図２１に示された組合せでもよい。図２６は中空で正方形断面の繊維を示しており、図２７は、固体で正方形断面の繊維を示しており、図２８は中空星形断面の繊維を示しており、図２９は中空三角形断面の繊維を示しており、図３０は、その周囲に複数の形成した断面の繊維を示しており、図３１は腎臓形断面の繊維を示している。
【００７８】
繊維が、磁性粒子を含有すると、繊維は磁化のため、例えば繊維を予定の極性で磁化するため、磁界にさらされ得る。これは、繊維が液槽２１を出ると、例えば図３３に示されたような磁化装置６０によって行うことができる。適切には繊維が装置またはその様な複数の装置の一組を、パッケージング及び／または塗布装置に組み込んだ後、磁界を掛けることによって、繊維の磁化を行うことができる。繊維の磁化は、繊維をパッケージング及び／または塗布装置の適所に配置するだけであり、複数の繊維を互いに塊にするリスクを制限することによって、簡単に製造することができる。
【００７９】
複数の繊維は、以下で記載するように、様々な塗布部材及びパッケージング装置に使用することができる。
【００８０】
図３４は、マスカラのような塗布のための物質Ｐを収容する容器と、塗布部材１０２とを備えた、パッケージング及び塗布装置１００を示している。容器１０１は、示されていない変形例においてフロックで覆われる、ワイパー部材１０６を備えている。塗布部材１０２は、容器１０１を閉じる閉鎖キャップも構成するハンドル１０４を一端に有し、その他端にブラシ１０５を有しているステム１０３を備えている。ブラシは、捻ったワイヤーから作られたコアを備え、ワイヤーは上記のように任意に磁性粒子を含む、繊維によって構成された剛毛を保持する曲部を具備している。
【００８１】
繊維が磁性粒子を含むと、ブラシの磁極が例えばステム１０３の軸線に沿うように、またはステム１０３の軸線に対して垂直な方向に向けられ得る。捻られたコアは、非磁性ステンレス鋼のような非磁性材料から作ることができるか、または磁化特性をもたらす材料から作ることができる。従ってコアは、剛毛と磁性的に相互作用しえる。ブラシ１０５の剛毛の磁化は、例えば剛毛を任意の方向に向けるため作用する剛毛間の磁性相互作用によって、隣接した剛毛に作用する。ブラシの磁極の方向に依存して、剛毛の方向付けに対する効果は変わる。一例として、図５１及び図５２は、磁界が横方向に延びる時、ブラシの剛毛に対する滑り方向への撓み効果を示している。また剛毛は、まつげまたは顔、例えばまぶたの一部分に、有益な効果を有する磁界を掛けることを目的に、物質をまつげに塗ることだけに使用され得る。ブラシの剛毛によって掛けられた磁界は、時間中変化しがちで、例えば塗布部材を引き出す間、または物質を塗る間、特にブラシの形態が変化した時に変化しやすい。物質Ｐは磁化特性をもたらし、例えば磁化可能なまたは磁化された粒子を含有し得る。物質が磁化特性をもたらすと、例えば物質とブラシの剛毛との間の磁力によって、物質をピックアップするブラシの能力を増大させる。また、物質が磁化特性をもたらす繊維または薄片を含有し得、それらフレークを例えば塗布時に特別な方向に向けて整列させるため、塗布部材がそれらフレークと磁性的に相互作用し得、それによって塗布部材を滑り易くする。
【００８２】
図３５は、マニキュアをパッケージング及び塗る装置１１０を示しており、その装置は、容器１１１と、容器を閉じるキャップも構成するハンドル要素１１４を一端に設け、相対的にきつく互いに束ねられた剛毛の束を有したペイントブラシ１１５を設けた、ステム１１３を具備する塗布部材１１２とを備えている。剛毛は、本発明による繊維を使用して作られており、それらは任意に磁化特性をもたらし、その特性を利用して、ブラシ１１５の剛毛を予定の方向に向かせて、ブラシ１１５に物質を容易にピックアップさせ、または処理される表面に作用することができる。ブラシの剛毛の間に、各剛毛の磁界の磁性に依存した磁化相互作用があるとしても、剛毛を互いに束にするか、または反対に剛毛を別々に広げさせる。一例として図５３及び図５４は、詳細な図解で、剛毛の間の磁性相互作用により、別々に広がる剛毛の効果を示している。物質は任意に、それ独自の磁化特性をもたらし得る。
【００８３】
図３６は、物質Ｐ例えば液体口紅を収容し、また塗布部材１２２を収容する容器１２１を備えた、パッケージング及び塗布装置１２０を示しており、塗布部材は、容器１２１を閉じ且つハンドルとしても作用するキャップ１２４を一端に具備し、任意に磁化特性をもたらす本発明による繊維を使用して作られるフロック加工部により覆われる、塗布部材端部ピース１２４を逆の端部に具備した、ステム１２３を備えている。また装置１２０は発泡体１２５のブロックによって構成されるワイパーも有している。発泡体のブロックは、任意に磁化特性をもたらし得る。特に発泡体１２５のブロックは、その中に磁性粒子を入れることによって、ある程度まで磁化され得る。ワイパーの磁化能力は、例えば塗布部材１２２が引き出される間、端部ピース１２４におけるフロック加工部を磁化するために作用する。
【００８４】
図３７は、物質Ｐ特に液体口紅をパッケージングし、塗る装置を示しており、装置は任意に磁化特性をもたらす本発明による繊維を使用して作られる、フロック加工部１３２で覆われた端部ピース１３１を備えている。
【００８５】
図３８は、パウダーを塗るペイントブラシ１４０を示しており、ブラシの剛毛は、任意に磁化特性をもたらす本発明による繊維から作られている。
【００８６】
図３９に示されている塗布部材１５０は、本発明による繊維を使用して作られ、任意に磁化特性をもたらす、フロック加工部１５２で表面を覆われた発泡体１５１を備えている。その様な塗布部材は、例えば肌にブラシを掛けるために作用し得る。
【００８７】
図４０に示されている液体口紅塗布部材１６０は、フロック加工されたエラストマーの端部ピース１６１を備えており、図４１に示されているアイライナーは、同様にフロック加工されたエラストマーの端部ピース１６１´を備えている。両方の場合も、フロック加工に使用される剛毛は、任意に磁化特性をもたらす、本発明の繊維によって構成されている。
【００８８】
また本発明による繊維は、図４２に示したように、パウダーパフ１７０をフロック加工するか、または図４３に示したように、メイクアップ落としスポンジ１８０をフロック加工するためにも使用され得る。
【００８９】
フロック加工によるコーティングは、発泡体１９２のブロックに固定されたフィルム１９１にかけて延び、それは図４４に示された塗布部材１９０に関する場合である。
【００９０】
任意に磁化特性をもたらす本発明による繊維を、図４５のように、前記繊維を組み込んだ編織物または非編織物の少なくとも一つの層２０１から成る、小ペーパータオルまたはディスク２００に使用することは可能である。
【００９１】
図４６は、物質をまつげに塗る櫛２１０を示しており、櫛はフロック加工された歯２１１を有している。フロック加工部の剛毛は、任意に磁化特性をもたらす、本発明の繊維を使用して作られている。
【００９２】
塗布部材は、任意に磁化特性をもたらす繊維に加えて、一つ以上の単一片の磁石を収容し得る。
【００９３】
一例として、図４８に示された塗布部材２２０は、それに固定された磁石２２２を有するハンドル２２１を備えている。磁石は、磁化特性をもたらす繊維によって構成されたフロック加工部２２４により、外側をコーティングされた発泡体のブロック２２３によって、それ自体覆われている。磁石２２２があることによって、フロック加工部２９４の剛毛に、磁界を掛けることができる。特に下方に配置した媒体に対して実質的に垂直に接続されるフロック加工部の剛毛は、図５０に示されたように、磁界Ｍの線沿って延びる。剛毛は塗布要素の表面上で起立するか、または磁石２２２によるその位置に依存して、別の方向に延びる傾向があり、従って例えば塗布部材に大量の物質を吸収させるか、またはその塗布を柔軟に行えるようにできる。加えて、物質が塗布部材に接触するパウダーである時、そして塗布部材が磁化特性をもたらす時、パウダーの粒子は、塗布部材に、特にその繊維に蓄積される傾向があり、従ってパウダーが散って、くしゃみをするリスクを減らしている。
【００９４】
図４７に示した装置２３０は、物質が可撓性バッグ２３１に収容され、その上にポンプ２３２が配置されている。塗布部材は、表面をフロック加工部２３５でコーティングされ且つ、キャップ２３６に固定された発泡体２３４を備えている。磁石２３７は、発泡体２３４の内部に収納され、キャップに２３６によって支えられている。フロック加工部２３５の剛毛は、磁化特性をもたらす本発明による剛毛を使用して作られており、それらは上記実施例のように、磁石２３７の磁界が掛けられる。
【００９５】
図５５は、塗布部材２８０の一部分を示しており、使用していない時にはキャップ２８１に内部に収納される、フロック加工された端部ピース２８２を備えている。水を吸収し、水があることで膨張する、薬品を含有した繊維を使用することは、キャップ内に湿気を保つことが可能になり、従って端部部材が乾き切るのを防止し、その端部部材は、別の塗布要素、例えばブラシに取り替えることもできる。
【００９６】
勿論、本発明は上記の実施例に制限されるものではない。
【００９７】
特に塗布部材と、容器に収容される物質との間には、図４９に示されているように、スクリーン２４０を備えている。その様な状態で、物質Ｐは磁性粒子２４１を含有し得、塗布部材は磁性粒子をもたらし得る。それは例えば塗布部材が、磁化された本発明による繊維によって構成された、フロック加工部のコーティングでフロック加工された端部ピースにより、作られているからである。端部ピース２４２は、物質に収容された磁性粒子２４１を付着することができる。スクリーン２４０において穴の寸法を適切に選択することにより、確実に端部ピース２４２によって引き寄せられる磁性粒子２４１が、スクリーン２４０を通り抜けできないようにして、物質Ｐを端部ピース２４２に向かって動かすように作用しており、それによって物質をピックアップするため、端部ピース２４２の能力を改善することになる。変形例では、物質Ｐはそれ自体が磁性を有し、例えばコーティングされた磁性粒子を含有し、スクリーン２４０の穴を通り抜けることができる。
【００９８】
繊維は、その長さの小部分だけ磁化され得る。
【００９９】
上記のパッケージング及び塗布装置は、液体を吸収し、及び／または液体と接触して膨張するのに適しているか、或いは液体と接触して溶解することができる、成分の粒子で満たされ、磁化特性を有していない繊維と混合した、磁化特性を有する繊維を具備し得る。液体は例えば水でもよい。
【図面の簡単な説明】
【０１００】
【図１】液体のあるところで膨張するのに適した粒子と共働する、繊維を示した概略的軸線方向断面図。
【図２】液体のあるところで膨張するのに適した粒子と共働する、繊維を示した概略的軸線方向断面図。
【図３】液体中に溶解可能な粒子を含んだ繊維の概略的軸線方向断面図。
【図４】液体中に溶解可能な粒子を含んだ繊維の概略的軸線方向断面図。
【図５】ゲルが繊維の表面上に形成されるのを示した図。
【図６】粒子が、繊維の表面のみに存在している実施形態。
【図７】図１と同様に、磁性粒子を含んだ繊維を示す図。
【図８】図２と同様に、磁性粒子を含んだ繊維を示す図。
【図９】図３と同様に、磁性粒子を含んだ繊維を示す図。
【図１０】図４と同様に、磁性粒子を含んだ繊維を示す図。
【図１１】図５と同様に、磁性粒子を含んだ繊維を示す図。
【図１２】繊維内における磁性粒子の異なった分配の一例を示した、概略的断面図。
【図１３】繊維内における磁性粒子の異なった分配の一例を示した、概略的断面図。
【図１４】繊維内における磁性粒子の異なった分配の一例を示した、概略的断面図。
【図１５】繊維に関して可能な種々の断面を示した概略的横断面図。
【図１６】繊維に関して可能な種々の断面を示した概略的横断面図。
【図１７】繊維に関して可能な種々の断面を示した概略的横断面図。
【図１８】繊維に関して可能な種々の断面を示した概略的横断面図。
【図１９】繊維に関して可能な種々の断面を示した概略的横断面図。
【図２０】繊維に関して可能な種々の断面を示した概略的横断面図。
【図２１】繊維に関して可能な種々の断面を示した概略的横断面図。
【図２２】繊維に関して可能な種々の断面を示した概略的横断面図。
【図２３】繊維に関して可能な種々の断面を示した概略的横断面図。
【図２４】繊維に関して可能な種々の断面を示した概略的横断面図。
【図２５】繊維に関して可能な種々の断面を示した概略的横断面図。
【図２６】繊維に関して可能な種々の断面を示した概略的横断面図。
【図２７】繊維に関して可能な種々の断面を示した概略的横断面図。
【図２８】繊維に関して可能な種々の断面を示した概略的横断面図。
【図２９】繊維に関して可能な種々の断面を示した概略的横断面図。
【図３０】繊維に関して可能な種々の断面を示した概略的横断面図。
【図３１】繊維に関して可能な種々の断面を示した概略的横断面図。
【図３２】押し出し成形による繊維の製造。
【図３３】押し出し成形後の繊維の磁化。
【図３４】パッケージング及び／または塗布装置の一例。
【図３５】パッケージング及び／または塗布装置の一例。
【図３６】パッケージング及び／または塗布装置の一例。
【図３７】パッケージング及び／または塗布装置の一例。
【図３８】パッケージング及び／または塗布装置の一例。
【図３９】パッケージング及び／または塗布装置の一例。
【図４０】パッケージング及び／または塗布装置の一例。
【図４１】パッケージング及び／または塗布装置の一例。
【図４２】パッケージング及び／または塗布装置の一例。
【図４３】パッケージング及び／または塗布装置の一例。
【図４４】パッケージング及び／または塗布装置の一例。
【図４５】パッケージング及び／または塗布装置の一例。
【図４６】パッケージング及び／または塗布装置の一例。
【図４７】パッケージング及び／または塗布装置の一例。
【図４８】パッケージング及び／または塗布装置の一例。
【図４９】パッケージング及び／または塗布装置の一例。
【図５０】磁石によって生じる磁界線の影響下で磁化可能な繊維を使って作られたフロックの剛毛の向く方向を示した図。
【図５１】ブラシの剛毛が磁力の相互作用の影響で向きを変えた状態を示した図。
【図５２】ブラシの剛毛が磁力の相互作用の影響で向きを変えた状態を示した図。
【図５３】ピンブラシの剛毛が磁力の相互作用の影響で向きを変えた状態を示した図。
【図５４】ピンブラシの剛毛が磁力の相互作用の影響で向きを変えた状態を示した図。
【図５５】使用していない時に保護キャップに収納された塗布要素を備える塗布装置。
【図５６】コーティングされた磁性粒子。
【図５７】磁性物質を非磁性体に蓄積することによって形成された磁性粒子。
【符号の説明】
【０１０１】
１１    熱可塑性材料
１２    磁性粒子
１４    中心コア
２０    押出機
２１    液槽
３０    粒子
４０    粒子
５０    粒子
５１    ゲル
６０    磁化装置
１０１  容器
１０２  塗布部材
１０３  ステム
１０４  ハンドル
１０５  ブラシ
１０６  ワイパー部材
１１０  装置
１１１  容器
１１２  塗布部材
１１３  ステム
１１４  ハンドル要素
１１５  ペイントブラシ
１２０  パッケージング及び塗布装置
１２１  容器
１２２  容器
１２３  ステム
１２４  キャップ／端部ピース
１２５  発泡体
１３０  装置
１３２  フロック加工部
１４０  ペイントブラシ
１５０  塗布部材
１５１  発泡体
１５２  フロック加工部
１６０  塗布部材
１６０´アイライナー
１６１  端部ピース
１６１´端部ピース
１７０  パウダーパフ
１８０  スポンジ
１９０  塗布装置
１９１  フィルム
１９２  発泡体
２００  ディスク
２０１  層
２１０  櫛
２１１  歯
２２０  塗布部材
２２１  ハンドル
２２２  磁石
２２３  発泡体
２２４  フロック加工部
２３０  装置
２３１  バッグ
２３２  ポンプ
２３４  発泡体
２３５  フロック加工部
２３６  キャップ
２３７  磁石
２４０  スクリーン
２４１  磁化粒子
２４２  端部ピース
２８０  塗布部材
２８１  キャップ
２８２  端部ピース
２９４  フロック加工部
Ｃ      非磁性体
Ｍ      磁性物質／磁性コア
Ｐ      物質
Ｒ      外層
【図１】
2006271983.tif 000003
【図２】
2006271983.tif 000004
【図３】
2006271983.tif 000005
【図４】
2006271983.tif 000006
【図５】
2006271983.tif 000007
【図６】
2006271983.tif 000008
【図７】
2006271983.tif 000009
【図８】
2006271983.tif 000010
【図９】
2006271983.tif 000011
【図１０】
2006271983.tif 000012
【図１１】
2006271983.tif 000013
【図１２】
2006271983.tif 000014
【図１３】
2006271983.tif 000015
【図１４】
2006271983.tif 000016
【図１５】
2006271983.tif 000017
【図１６】
2006271983.tif 000018
【図１７】
2006271983.tif 000019
【図１８】
2006271983.tif 000020
【図１９】
2006271983.tif 000021
【図２０】
2006271983.tif 000022
【図２１】
2006271983.tif 000023
【図２２】
2006271983.tif 000024
【図２３】
2006271983.tif 000025
【図２４】
2006271983.tif 000026
【図２５】
2006271983.tif 000027
【図２６】
2006271983.tif 000028
【図２７】
2006271983.tif 000029
【図２８】
2006271983.tif 000030
【図２９】
2006271983.tif 000031
【図３０】
2006271983.tif 000032
【図３１】
2006271983.tif 000033
【図３２】
2006271983.tif 000034
【図３３】
2006271983.tif 000035
【図３４】
2006271983.tif 000036
【図３５】
2006271983.tif 000037
【図３６】
2006271983.tif 000038
【図３７】
2006271983.tif 000039
【図３８】
2006271983.tif 000040
【図３９】
2006271983.tif 000041
【図４０】
2006271983.tif 000042
【図４１】
2006271983.tif 000043
【図４２】
2006271983.tif 000044
【図４３】
2006271983.tif 000045
【図４４】
2006271983.tif 000046
【図４５】
2006271983.tif 000047
【図４６】
2006271983.tif 000048
【図４７】
2006271983.tif 000049
【図４８】
2006271983.tif 000050
【図４９】
2006271983.tif 000051
【図５０】
2006271983.tif 000052
【図５１】
2006271983.tif 000053
【図５２】
2006271983.tif 000054
【図５３】
2006271983.tif 000055
【図５４】
2006271983.tif 000056
【図５５】
2006271983.tif 000057
【図５６】
2006271983.tif 000058
【図５７】
2006271983.tif 000059